(57)【要約】【課題】再生中のコンテンツからの情報を用いてリアルタイムにシミュレートすることができるシミュレートシステムを提供する。【解決手段】シミュレートシステムでは、情報端末において検索キーの入力を受け付けると、ＴＶ／レコーダに対して、記憶されているコンテンツの録画データの中から該当シーンの検索が指示される（Ｓ１）。ＴＶ／レコーダは該検索キーを用いて該当シーンを検出して、該当シーンをキャプチャする（Ｓ２）。キャプチャ画像はＴＶ／レコーダから情報端末に送信されて（Ｓ３）、表示される（Ｓ４）。情報端末は、キャプチャ画像のうちの画像合成に用いる範囲の指定を受け付けると、その範囲の画像と撮影画像とを画像合成して合成画像を得、表示する（Ｓ６）。【選択図】図４
2014050077.tif 000002
【特許請求の範囲】
【請求項１】
コンテンツ録画装置と、
前記コンテンツ録画装置と通信可能な端末装置とを備え、
前記端末装置は、
検索キーの入力を受け付けるための第１の入力手段と、
前記コンテンツ録画装置に対して、記憶されているコンテンツの録画データの中から、前記検索キーを用いて該当シーンの検索を指示するための指示手段と、
前記該当シーンのキャプチャ画像の入力を前記コンテンツ録画装置から受け付けるための第２の入力手段と、
前記キャプチャ画像のうちの、画像合成に用いる範囲の指定を受け付けるための指定手段と、
前記キャプチャ画像のうちの前記画像合成に用いる範囲の画像と、撮影画像とを画像合成して合成画像を得るための合成手段と、
前記合成画像を表示するための表示手段とを含み、
前記コンテンツ録画装置は、
コンテンツの録画データを記憶するための記憶手段と、
前記端末装置からの前記検索の指示に従って、前記検索キーを用いて前記録画データの中から該当シーンを検出するための検出手段と、
前記該当シーンをキャプチャしてキャプチャ画像を得るためのキャプチャ手段と、
前記キャプチャ画像を前記端末装置に対して出力するための出力手段とを含む、シミュレートシステム。
【請求項２】
前記端末装置は撮影手段をさらに含み、
前記撮影手段は、前記コンテンツ録画装置から前記キャプチャ画像の入力を受け付けると、撮影動作を行なって前記撮影画像を得る、請求項１に記載のシミュレートシステム。
【請求項３】
前記コンテンツ録画装置は、
コンテンツを再生するための再生手段と、
前記再生されたコンテンツを所定期間、前記記憶手段に格納するための格納手段とをさらに含み、
前記検出手段は、前記記憶手段に記憶されている前記録画データの中から該当シーンが検索されない場合、予め規定された期間、前記再生手段で再生中のコンテンツ中から前記該当シーンの検索を繰り返す、請求項１または２に記載のシミュレートシステム。
【請求項４】
コンテンツ録画装置と通信可能な端末装置であって、
検索キーの入力を受け付けるための第１の入力手段と、
前記コンテンツ録画装置に対して、記憶されているコンテンツの録画データの中から、前記検索キーを用いて該当シーンの検索を指示するための指示手段と、
前記該当シーンのキャプチャ画像の入力を前記コンテンツ録画装置から受け付けるための第２の入力手段と、
前記キャプチャ画像のうちの、画像合成に用いる範囲の指定を受け付けるための指定手段と、
前記キャプチャ画像のうちの前記画像合成に用いる範囲の画像と、撮影画像とを画像合成して合成画像を得るための合成手段と、
前記合成画像を表示するための表示手段とを備える、端末装置。
【請求項５】
前記コンテンツ録画装置を含み、
コンテンツの録画データを記憶するための記憶手段と、
前記検索の指示に従って、前記検索キーを用いて前記録画データの中から該当シーンを検出するための検出手段と、
前記該当シーンをキャプチャしてキャプチャ画像を得るためのキャプチャ手段とをさらに備える、請求項４に記載の端末装置。
【請求項６】
端末装置と通信可能なコンテンツ録画装置であって、
コンテンツの録画データを記憶するための記憶手段と、
前記端末装置から検索キーの入力を受け付けるための入力手段と、
前記検索キーを用いて前記録画データの中から該当シーンを検出するための検出手段と、
前記該当シーンをキャプチャしてキャプチャ画像を得るためのキャプチャ手段と、
前記キャプチャ画像を前記端末装置に対して出力するための出力手段とを備える、コンテンツ録画装置。
【請求項７】
コンテンツ録画装置と端末装置とを含むシミュレートシステムにおけるシミュレート方法であって、
前記端末装置において検索キーの入力を受け付けるステップと、
前記端末装置から前記コンテンツ録画装置に対して、記憶されているコンテンツの録画データの中から、前記検索キーを用いて該当シーンの検索を指示するステップと、
前記コンテンツ録画装置において、前記検索キーを用いて前記録画データの中から該当シーンを検出するステップと、
前記コンテンツ録画装置において、前記該当シーンをキャプチャしてキャプチャ画像を得、前記キャプチャ画像を前記端末装置に対して出力するステップと、
前記端末装置において、前記コンテンツ録画装置からの前記キャプチャ画像のうちの、画像合成に用いる範囲の指定を受け付けるステップと、
前記端末装置において、前記キャプチャ画像のうちの前記画像合成に用いる範囲の画像と、撮影画像とを画像合成して合成画像を得、前記合成画像を表示するステップとを備える、シミュレート方法。
【請求項８】
コンテンツ録画装置に記憶されている録画データを利用したシミュレート処理をコンピュータに実行させるプログラムであって、
検索キーの入力を受け付けるステップと、
前記コンテンツ録画装置に対して、記憶されているコンテンツの録画データの中から、前記検索キーを用いて該当シーンの検索を指示するステップと、
前記該当シーンのキャプチャ画像の入力を前記コンテンツ録画装置から受け付けるステップと、
前記キャプチャ画像のうちの、画像合成に用いる範囲の指定を受け付けるステップと、
前記キャプチャ画像のうちの前記画像合成に用いる範囲の画像と、撮影画像とを画像合成して合成画像を得るステップと、
前記合成画像を表示するステップとを前記コンピュータに実行させる、シミュレートプログラム。
【発明の詳細な説明】
【技術分野】
【０００１】
この発明はシミュレートシステム、端末装置、コンテンツ録画装置、シミュレート方法、およびシミュレートプログラムに関し、特に、撮影画像を利用してシミュレートするシミュレートシステム、端末装置、コンテンツ録画装置、シミュレート方法、およびシミュレートプログラムに関する。
【背景技術】
【０００２】
ユーザの写真を用いて化粧や服装や髪型等の特定部位を変えた場合の変身シミュレーションシステムが、近年広く利用されている。
【０００３】
たとえば、特開２０１２−９４０４８号公報（以下、特許文献１）は、髪の毛の生え際や体型を考慮しながらユーザ写真とサンプル画像とを合成する衣装シミュレーションシステムを開示している。また、特開２００９−２７６９４６号公報（以下、特許文献２）や特開２０１１−２２９３９号公報（以下、特許文献３）は、ユーザの写真と合成データとを基にしてヘアスタイル、メイクのシミュレーションや、それらに関するアドバイスを提案するシステムを開示している。
【先行技術文献】
【特許文献】
【０００４】
【特許文献１】特開２０１２−９４０４８号公報
【特許文献２】特開２００９−２７６９４６号公報
【特許文献３】特開２０１１−２２９３９号公報
【発明の概要】
【発明が解決しようとする課題】
【０００５】
しかしながら、上記特許文献１〜３に開示されているようなシステムは、ユーザ写真をリアルタイムに撮影して利用することを想定したものであって、合成データは予めデータベース等に保存されているデータや情報を利用することを想定している。そのため、たとえば、ユーザが現在のテレビの出演者（タレント等）の髪型やメイクを真似したいと所望しても、これらシステムでは現在のテレビの出演者の髪型やメイクがデータベース等に登録されていなければシミュレートすることができないという問題があった。
【０００６】
本発明はこのような問題に鑑みてなされたものであって、再生中のコンテンツからの情報を用いてリアルタイムにシミュレートすることができるシミュレートシステム、端末装置、コンテンツ録画装置、シミュレート方法、およびシミュレートプログラムを提供することを目的としている。
【課題を解決するための手段】
【０００７】
上記目的を達成するために、本発明のある局面に従うと、シミュレートシステムは、コンテンツ録画装置と、コンテンツ録画装置と通信可能な端末装置とを備える。端末装置は、検索キーの入力を受け付けるための第１の入力手段と、コンテンツ録画装置に対して、記憶されているコンテンツの録画データの中から、検索キーを用いて該当シーンの検索を指示するための指示手段と、該当シーンのキャプチャ画像の入力をコンテンツ録画装置から受け付けるための第２の入力手段と、キャプチャ画像のうちの、画像合成に用いる範囲の指定を受け付けるための指定手段と、キャプチャ画像のうちの画像合成に用いる範囲の画像と、撮影画像とを画像合成して合成画像を得るための合成手段と、合成画像を表示するための表示手段とを含む。コンテンツ録画装置は、コンテンツの録画データを記憶するための記憶手段と、端末装置からの検索の指示に従って、検索キーを用いて録画データの中から該当シーンを検出するための検出手段と、該当シーンをキャプチャしてキャプチャ画像を得るためのキャプチャ手段と、キャプチャ画像を端末装置に対して出力するための出力手段とを含む。
【０００８】
好ましくは、端末装置は撮影手段をさらに含み、撮影手段は、コンテンツ録画装置からキャプチャ画像の入力を受け付けると、撮影動作を行なって撮影画像を得る。
【０００９】
好ましくは、コンテンツ録画装置は、コンテンツを再生するための再生手段と、再生されたコンテンツを所定期間、記憶手段に格納するための格納手段とをさらに含み、検出手段は、記憶手段に記憶されている録画データの中から該当シーンが検索されない場合、予め規定された期間、再生手段で再生中のコンテンツ中から該当シーンの検索を繰り返す。
【００１０】
本発明の他の局面に従うと、端末装置はコンテンツ録画装置と通信可能な端末装置であって、検索キーの入力を受け付けるための第１の入力手段と、コンテンツ録画装置に対して、記憶されているコンテンツの録画データの中から、検索キーを用いて該当シーンの検索を指示するための指示手段と、該当シーンのキャプチャ画像の入力をコンテンツ録画装置から受け付けるための第２の入力手段と、キャプチャ画像のうちの、画像合成に用いる範囲の指定を受け付けるための指定手段と、キャプチャ画像のうちの画像合成に用いる範囲の画像と、撮影画像とを画像合成して合成画像を得るための合成手段と、合成画像を表示するための表示手段とを備える。
【００１１】
好ましくは、端末装置は上記コンテンツ録画装置を含み、コンテンツの録画データを記憶するための記憶手段と、検索の指示に従って、検索キーを用いて録画データの中から該当シーンを検出するための検出手段と、該当シーンをキャプチャしてキャプチャ画像を得るためのキャプチャ手段とをさらに備える。
【００１２】
本発明のさらに他の局面に従うと、コンテンツ録画装置は端末装置と通信可能なコンテンツ録画装置であって、コンテンツの録画データを記憶するための記憶手段と、端末装置から検索キーの入力を受け付けるための入力手段と、検索キーを用いて録画データの中から該当シーンを検出するための検出手段と、該当シーンをキャプチャしてキャプチャ画像を得るためのキャプチャ手段と、キャプチャ画像を端末装置に対して出力するための出力手段とを備える。
【００１３】
本発明のさらに他の局面に従うと、シミュレート方法はコンテンツ録画装置と端末装置とを含むシミュレートシステムにおけるシミュレート方法であって、端末装置において検索キーの入力を受け付けるステップと、端末装置からコンテンツ録画装置に対して、記憶されているコンテンツの録画データの中から、検索キーを用いて該当シーンの検索を指示するステップと、コンテンツ録画装置において、検索キーを用いて録画データの中から該当シーンを検出するステップと、コンテンツ録画装置において、該当シーンをキャプチャしてキャプチャ画像を得、キャプチャ画像を端末装置に対して出力するステップと、端末装置において、コンテンツ録画装置からのキャプチャ画像のうちの、画像合成に用いる範囲の指定を受け付けるステップと、端末装置において、キャプチャ画像のうちの画像合成に用いる範囲の画像と、撮影画像とを画像合成して合成画像を得、合成画像を表示するステップとを備える。
【００１４】
本発明のさらに他の局面に従うと、シミュレートプログラムはコンテンツ録画装置に記憶されている録画データを利用したシミュレート処理をコンピュータに実行させるプログラムであって、検索キーの入力を受け付けるステップと、コンテンツ録画装置に対して、記憶されているコンテンツの録画データの中から、検索キーを用いて該当シーンの検索を指示するステップと、該当シーンのキャプチャ画像の入力をコンテンツ録画装置から受け付けるステップと、キャプチャ画像のうちの、画像合成に用いる範囲の指定を受け付けるステップと、キャプチャ画像のうちの画像合成に用いる範囲の画像と、撮影画像とを画像合成して合成画像を得るステップと、合成画像を表示するステップとをコンピュータに実行させる。
【発明の効果】
【００１５】
この発明によると、再生中のコンテンツからの情報を用いてリアルタイムにシミュレートすることができるシミュレートシステムを提供する。
【図面の簡単な説明】
【００１６】
【図１】実施の形態にかかるシミュレートシステム（以下、システムと略する）の構成の具体例を示す図である。
【図２】システムに含まれる情報端末の装置構成の具体例を示すブロック図である。
【図３】システムに含まれるＴＶ・レコーダの装置構成の具体例を示すブロック図である。
【図４】本システムでの動作概要を表わした図である。
【図５】本システムでの動作に用いられる画像を説明した図である。
【図６】情報端末の機能構成の具体例を示すブロック図である。
【図７】ＴＶ・レコーダの機能構成の具体例を示すブロック図である。
【図８】情報端末での動作の流れを表わすフローチャートである。
【図９】ＴＶ・レコーダでの動作の流れを表わすフローチャートである。
【発明を実施するための形態】
【００１７】
以下に、図面を参照しつつ、本発明の実施の形態について説明する。以下の説明では、同一の部品および構成要素には同一の符号を付してある。それらの名称および機能も同じである。したがって、これらの説明は繰り返さない。
【００１８】
＜システム構成＞
図１は、本実施の形態にかかるシミュレートシステム（以下、システムと略する）の構成の具体例を示す図である。
【００１９】
図１を参照して、本システムは、情報端末１００と、テレビジョン信号再生・記録装置（以下、ＴＶ・レコーダ）３００とを含む。
【００２０】
情報端末１００は、たとえば、携帯電話機などが該当する。ＴＶ・レコーダ３００は、少なくともテレビ番組を録画する機能を有する装置であればよく、たとえば、録画機能付きのテレビジョン受像機や、ＤＶＤ（Digital  Versatile  Disk）レコーダやパーソナルコンピュータなどであってよい。
【００２１】
情報端末１００とＴＶ・レコーダ３００とは相互に通信を行なう。これらの間の通信は、たとえば、ＨＤＭＩ（High-Definition  Multimedia  Interface）ケーブルなどの専用の通信ケーブルを用いた通信であってもよいし、ＩＥＥＥ１３９４規格に準拠した回線を介した通信であってもよいし、Ｂｌｕｅｔｏｏｔｈ（登録商標）などの近距離無線通信規格に準拠した無線通信や、ＩｒＳｉｍｐｌｅ（登録商標）などの通信規格に準拠した高速赤外線通信であってもよい。
【００２２】
＜装置構成＞
図２は、情報端末１００の装置構成の具体例を示すブロック図である。
【００２３】
図２を参照して、情報端末１００は、当該情報端末１００全体を制御する演算を実行するためのＣＰＵ（Central  Processing  Unit）１０と、ＣＰＵ１０で実行されるプログラム（アプリケーション）などを記憶するためのＲＯＭ（Read  Only  Memory）１１と、ＣＰＵ１０でプログラムを実行する際の作業領域として機能するためのＲＡＭ（Random  Access  Memory）１２と、撮影画像や電話帳データなどを記憶するためのメモリ１３と、当該情報端末１００に対する操作入力を受け付けるための操作部１４と、ディスプレイ１５と、カメラ１６と、ＴＶ・レコーダ３００との間で上述の通信を行なうための通信部１７とを含む。
【００２４】
上の例は一例であって、たとえば、操作部１４とディスプレイ１５とがタッチパネルなど１つの表示入力装置として構成されてもよい。また、その他、電話通信を行なうための構成として、スピーカや、基地局と通信するための通信部などがさらに含まれていてもよい。
【００２５】
図３は、ＴＶ・レコーダ３００の装置構成の具体例を示すブロック図である。
図３を参照して、ＴＶ・レコーダ３００は、当該ＴＶ・レコーダ３００全体を制御する演算を実行するためのＣＰＵ３０と、ＣＰＵ３０で実行されるプログラム（アプリケーション）などを記憶するためのＲＯＭ３１と、ＣＰＵ３０でプログラムを実行する際の作業領域として機能するためのＲＡＭ３２と、録画データなどを記憶するためのメモリ３３と、当該ＴＶ・レコーダ３００に対する操作入力を受け付けるための操作部３４と、ディスプレイ３５と、情報端末１００との間で上述の通信を行なうための通信部３７とを含む。
【００２６】
上の例は一例であって、たとえば、操作部３４に替えて、または加えて、リモコンと通信して操作信号の入力を受け付けるための入力部が含まれてもよい。また、コンテンツであるテレビ番組を再生するための構成として、スピーカなどがさらに含まれてもよい。
【００２７】
＜動作概要＞
図４は、本システムでの動作概要を表わした図である。また、図５は、用いられる画像を説明した図である。
【００２８】
本システムでは、ＴＶ・レコーダ３００において、少なくとも、再生されたコンテンツであるＴＶ番組は、予め規定された期間、再生データが録画データとして記憶される。再生されたコンテンツの他、予め指定されたコンテンツも録画されていてもよい。
【００２９】
ＴＶ・レコーダ３００のこの機能は、たとえば、配信されたテレビジョン信号をリアルタイムに再生すると共に録画しておき、所定時間、遅れて再生することを可能とする機能でも用いられている。
【００３０】
そして、本システムでは、ＴＶ・レコーダ３００に記憶された録画データのうち、該当するシーンがキャプチャされて、そのキャプチャ画像の内から指定された範囲の画像が、シミュレート（画像合成処理）に用いられる。
【００３１】
情報端末１００は、ユーザから該当するシーンの検索キーの指定を受け付けて、ＴＶ・レコーダ３００に対して当該検索キーを渡して検索、およびキャプチャを指示する。そして、情報端末１００は、たとえばユーザの写真など撮影画像とキャプチャ画像の内から指定された範囲の画像とを画像合成する。
【００３２】
図４を参照して、ユーザが情報端末にて、上記検索キーとしての、合成したいＴＶ出演人物と向きとを指定すると、情報端末は、ＴＶ・レコーダに対して、その人物・向きの画面を撮影（キャプチャ）するように指示するキャプチャリクエスト信号を送信する（ステップＳ１）。
【００３３】
ＴＶ・レコーダは、情報端末から上記信号を受信すると、指定された人物が指定された向きを向いたシーン（該当シーン）を検索キーとして、記憶されている録画データの中に該当シーンがあるか否か検索する。そして、該当シーンがあれば、ＴＶ・レコーダは、そのシーンをキャプチャして図５の画像Ｃを得、（ステップＳ２）、キャプチャした画像であるキャプチャ画像（画像Ｃ）を情報端末に対して送信する（ステップＳ３）。
【００３４】
なお、上記検索の結果、該当シーンが存在しない場合、ＴＶ・レコーダは、予め規定された一定時間内、上記検索キーを用いて該当シーンを検索し続けるようにしてもよい。上記一定時間内に該当シーンが検索された場合、ＴＶ・レコーダはそのシーンをキャプチャし、キャプチャ画像Ｃを情報端末に対して送信することができる。上記一定時間内に該当シーンが検索されなかった場合には、ＴＶ・レコーダは、情報端末に対して該当シーンが存在しない旨を通知する。
【００３５】
情報端末は、ＴＶ・レコーダからキャプチャ画像Ｃを受信すると、ディスプレイに画像Ｃを表示させ（ステップＳ４）、その画像Ｃにおいて合成に用いる範囲（部位）の指定をユーザから受け付ける。一例として、情報端末は、図５に示されたように、ディスプレイに表示された画像Ｃ上で範囲の指定を受け付けることができる。
【００３６】
その後、情報端末は、カメラでユーザを撮影して図５の画像Ｄを得る（ステップＳ５）。ここでの撮影は、ユーザから撮影指示を受け付けることでなされてもよい。
【００３７】
情報端末は、キャプチャ画像Ｃ中の指定された範囲と、撮影画像Ｄとを合成して、合成画像として図５の画像Ｅを作成し、ディスプレイに合成結果の画像Ｅを表示させる（ステップＳ６）。
【００３８】
なお、ＴＶ・レコーダから該当シーンが存在しない旨の通知を受けた場合、情報端末は、エラーメッセージを表示するようにしてもよい。
【００３９】
＜機能構成＞
図６は、上記動作を行なうための情報端末１００の機能構成の具体例を示すブロック図である。図６の各機能は、情報端末１００のＣＰＵ１０がＲＯＭ１１に記憶されているプログラムをＲＡＭ１２上に読み出して展開しつつ実行することにより、主にＣＰＵ１０上に形成されるものである。しかしながら、少なくとも一部が、図２に表わされたハードウェア構成によって実現されてもよい。
【００４０】
図６を参照して、ＣＰＵ１０は、操作部１４から操作信号の入力を受け付けることで、合成に用いるＴＶ出演人物およびその向きなどの検索キーの入力を受け付けるための人物・向き入力部１０１と、上記入力に従って通信部１７を介してＴＶ・レコーダ３００に対して上記検索キーを含んだキャプチャリクエスト信号を送信するための信号送信部１０２と、通信部１７を介してＴＶ・レコーダ３００からキャプチャ画像の入力を受け付けるための画像入力部１０３と、操作部１４から操作信号の入力を受け付けることでキャプチャ画像のうちの合成に用いる範囲（部位）の指定を受け付けるための範囲入力部１０４と、当該指定に基づいてキャプチャ画像のうちの合成に用いる範囲を特定するための範囲特定部１０５と、操作部１４での撮影操作に従ってカメラ１６で撮影を実行させてカメラ１６から撮影画像の入力を受け付けるための撮影画像入力部１０６と、キャプチャ画像のうちの合成に用いる範囲と撮影画像とを合成する処理を行なうための画像合成部１０７と、合成画像やキャプチャ画像などをディスプレイ１５に表示する処理を行なうための表示処理部１０８とを含む。
【００４１】
図７は、上記動作を行なうためのＴＶ・レコーダ３００の機能構成の具体例を示すブロック図である。図７の各機能は、ＴＶ・レコーダ３００のＣＰＵ３０がＲＯＭ３１に記憶されているプログラムをＲＡＭ３２上に読み出して展開しつつ実行することにより、主にＣＰＵ３０上に形成されるものである。しかしながら、少なくとも一部が、図３に表わされたハードウェア構成によって実現されてもよい。
【００４２】
図７を参照して、メモリ３３には、録画データを記憶するための記憶領域である録画データ記憶部３３１が設けられる。
【００４３】
さらに図７を参照して、ＣＰＵ３０は、コンテンツであるテレビ番組を再生するための再生部３０１と、再生された画像データを録画して、録画データとして録画データ記憶部３３１に格納するための格納部３０２と、通信部３７を介して情報端末１００からキャプチャリクエスト信号の入力を受け付けるための信号入力部３０３と、キャプチャリクエスト信号に含まれる検索キーを用いて該当シーンを録画データの中から検索するための検索部３０４と、該当シーンをキャプチャするためのキャプチャ部３０５と、通信部３７を介してキャプチャ画像を情報端末１００に対して送信するための送信部３０６とを含む。
【００４４】
＜動作フロー＞
図８は、情報端末１００での動作の流れを表わすフローチャートである。図８のフローチャートに表わされた動作は、情報端末１００のＣＰＵ１０がＲＯＭ１１に記憶されているプログラムをＲＡＭ１２上に読み出して実行し、図６の各機能を発揮させることによって実現される。
【００４５】
図８を参照して、ユーザから検索キーとして合成したいＴＶ出演人物および向きの指示を受け付けると（ステップＳ１０１でＹＥＳ）、ＣＰＵ１０は、上記検索キーを含んだキャプチャリクエスト信号を生成して、ＴＶ・レコーダ３００に対して送信する（ステップＳ１０３）。
【００４６】
検索キーの入力は、たとえば、情報端末１００にインストールされている専用アプリケーションを起動し、該アプリケーションの動作に沿って人物名と向きとを入力してＴＶ連携を開始するボタンを押す、などの動作によって行なうことができる。なお、この例では検索キーとして人物および向きを指定するものとしているが、他の例として、全身、顔、上半身、下半身等などの部位そのものを指定したり、１分前、５分前、放送時間内すべて、などの放送時間を指定したりしてもよい。
【００４７】
その後、ＴＶ・レコーダ３００からキャプチャ画像を受信すると（ステップＳ１０５でＹＥＳ）、ＣＰＵ１０は受信したキャプチャ画像を表示する（ステップＳ１０７）。一方、ＴＶ・レコーダ３００からキャプチャ画像を受信せずにキャプチャできなかった旨を表わすエラー信号を受信した場合には（ステップＳ１０５でＮＯ）、ＣＰＵ１０は、たとえば「希望した画像が取得できないため合成できません。」などの予め記憶されているエラーメッセージを表示し（ステップＳ１０９）、一連の動作を終了する。
【００４８】
ＣＰＵ１０は、キャプチャ画像を受信した場合にはその中から合成に用いる範囲の指定を受け付ける。
【００４９】
範囲の指定は、たとえば、情報端末１００にインストールされている専用アプリケーションを起動し、該アプリケーションの動作に沿って、表示されたキャプチャ画像のうちの合成に用いたい範囲（部分）をタッチパネルでタッチしたりなぞったりする操作で指定したり、眉、髪型等のキーワードを入力したりする方法が挙げられる。
【００５０】
なお、このとき、ＴＶ・レコーダ３００から送信されたキャプチャ画像が複数ある場合には、合成に利用する画像の選択を受け付けてもよい。
【００５１】
上記のようにして合成に用いる範囲の指定を受け付けると（ステップＳ１１１でＹＥＳ）、ＣＰＵ１０は、その指定から合成に用いる範囲を特定する（ステップＳ１１３）。その後、ＣＰＵ１０は、カメラ１６を用いて撮影動作を行なって、撮影画像を得る（ステップＳ１１５）。ステップＳ１１５の撮影動作はユーザによる撮影指示に基づいて行なわれてもよいし、上述の合成に用いる範囲の指定に引き続いて連続して行なわれてもよい。
【００５２】
撮影画像が得られると、ＣＰＵ１０は、上記ステップＳ１１３で特定された範囲のキャプチャ画像の範囲と合成する（ステップＳ１１７）。ここでの画像合成処理は、従来の画像合成処理を採用することができる。そして、ＣＰＵ１０は、合成画像を表示し（ステップＳ１１９）、一連の動作を終了する。
【００５３】
図９は、ＴＶ・レコーダ３００での動作の流れを表わすフローチャートである。図９のフローチャートに表わされた動作は、ＴＶ・レコーダ３００のＣＰＵ３０がＲＯＭ３１に記憶されているプログラムをＲＡＭ３２上に読み出して実行し、図７の各機能を発揮させることによって実現される。
【００５４】
図９を参照して、情報端末１００からキャプチャリクエスト信号を受信すると（ステップＳ３０１でＹＥＳ）、ＣＰＵ３０は、該信号を解析してユーザに指定された人物および向きなどの検索キーを特定する（ステップＳ３０３）。
【００５５】
ＣＰＵ３０は、上記信号を受信すると、記憶されている録画データから、検索キーで表わされた上記人物が指定された向きを向いているシーンを検索する（ステップＳ３０５）。
【００５６】
該当シーンが検索されると（ステップＳ３０７）、ＣＰＵ３０はそのシーンをキャプチャする（ステップＳ３０９）。このとき、該当シーンが複数存在する場合は、ＣＰＵ３０は、たとえば最初のフレームのみキャプチャする、１０秒ごとに該当シーンを１枚ずつキャプチャする、などの指定時間ごとにキャプチャする、一定時間内のすべての該当シーンをキャプチャする、などの、予め規定されたルールに従ってキャプチャしてもよい。
【００５７】
該当シーンが録画データの中からは検索されなかった場合（ステップＳ３０７でＮＯ）、ＣＰＵ３０は、予め規定した一定期間が経過するまで（ステップＳ３１１でＮＯ）、放送中の映像データであり、逐次、録画されるデータから該当シーンの検索を繰り返す。このとき、ＣＰＵ３０がコンテンツの再生中である場合には逐次、再生中のコンテンツが録画データとして記憶されていくため、新たに記憶された録画データの中から該当シーンが検索される可能性がある。
【００５８】
ＣＰＵ３０は、該当シーンをキャプチャすることで得られたキャプチャ画像を、情報端末１００に対して送信して（ステップＳ３１３）、一連の動作を終了する。このとき、上述のようにルールに従ってキャプチャすることで複数のキャプチャ画像が得られた場合には、当該複数のキャプチャ画像を送信する。
【００５９】
なお、上記一定期間が経過しても該当シーンが検索されなかった場合には（ステップＳ３１１でＹＥＳ）、ＣＰＵ３０はエラー信号を情報端末１００に対して送信して（ステップＳ３１５）、一連の動作を終了する。
【００６０】
＜実施の形態の効果＞
本システムにおいて上述の動作が行なわれることで、たとえば、ユーザがＴＶ出演中のタレントの現在の状態（メイク、髪型、衣装）等をリアルタイムで真似したい、などという時に、リアルタイムでシミュレーションすることができる。
【００６１】
特に、本システムでは、人物や向きなどの検索キーで画像を指定してリアルタイムに再生される画像の中から該当するシーンが検索されるため、リアルタイムで、かつ、ユーザの好みに応じた状態の画像を用いてシミュレーションすることができる。
【００６２】
また、本システムでは、予めシミュレーションに用いるデータを記憶しておく必要がなく、ＴＶ・レコーダ３００で再生したコンテンツであるＴＶ画面をキャプチャ（または録画中の画像から抽出）しそれを合成に利用することができる。これにより、リアルタイムにシミュレーションすることができる。
【００６３】
＜他の例＞
なお、上記の例では本システムに情報端末１００とＴＶ・レコーダ３００とが含まれてこれらが連携するものとしているが、情報端末１００にＴＶ・レコーダ３００が含まれ、たとえばＴＶ再生、録画機能付きの情報端末などの一台の装置で上記動作が行なわれてもよい。
【００６４】
さらに、上述の情報端末１００での動作およびＴＶ・レコーダ３００での動作をＣＰＵに実行させるためのプログラムを提供することもできる。このようなプログラムは、コンピュータに付属するフレキシブルディスク、ＣＤ−ＲＯＭ（Compact  Disk-Read  Only  Memory）、ＲＯＭ、ＲＡＭおよびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【００６５】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【００６６】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【００６７】
提供されるプログラム製品は、ハードディスクなどのプログラム格納部にインストールされて実行される。なお、プログラム製品は、プログラム自体と、プログラムが記録された記録媒体とを含む。
【００６８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６９】
１０，３０  ＣＰＵ、１１，３１  ＲＯＭ、１２，３２  ＲＡＭ、１３，３３  メモリ、１４，３４  操作部、１５，３５  ディスプレイ、１６  カメラ、１７，３７  通信部、１００  情報端末、１０１  人物・向き入力部、１０２  信号送信部、１０３  画像入力部、１０４  範囲入力部、１０５  範囲特定部、１０６  撮影画像入力部、１０７  画像合成部、１０８  表示処理部、３００  ＴＶ・レコーダ、３０１  再生部、３０２  格納部、３０３  信号入力部、３０４  検索部、３０５  キャプチャ部、３０６  送信部、３３１  録画データ記憶部。
【図１】
2014050077.tif 000003
【図２】
2014050077.tif 000004
【図３】
2014050077.tif 000005
【図４】
2014050077.tif 000006
【図５】
2014050077.tif 000007
【図６】
2014050077.tif 000008
【図７】
2014050077.tif 000009
【図８】
2014050077.tif 000010
【図９】
2014050077.tif 000011